(57)【要約】【課題】金属フレームの背面側に配置した充電池を放熱すると共に、充電池の多少の膨らみを許容できるようにする。【解決手段】金属フレーム６を有する正面側キャビネット３と、メイン基板８との間に充電池７を設ける。充電池７の正面の幅方向両側に間隔を空けて両面テープ９を貼り付けて充電池７の正面と金属フレーム６背面との間に放熱空間１０を確保する。【選択図】図１
2014036328.tif 000002
【特許請求の範囲】
【請求項１】
金属フレームを有する正面側キャビネットと、
上記正面側キャビネットの背面側に配置されるメイン基板と、
上記金属フレームと上記メイン基板との間に配置される矩形板状の充電池と、
上記充電池正面の幅方向両側に間隔を空けて貼り付けられると共に、上記金属フレーム背面に貼り付けられ、該充電池の正面と該金属フレーム背面との間に空間を確保する両面テープとを備えている
ことを特徴とする携帯端末。
【請求項２】
請求項１に記載の携帯端末において、
上記放熱空間に熱を拡散するための熱拡散シートが配置されている
ことを特徴とする携帯端末。
【請求項３】
請求項２に記載の携帯端末において、
上記充電池背面と上記メイン基板との間にも熱拡散シートが配置されている
ことを特徴とする携帯端末。
【請求項４】
請求項３に記載の携帯端末において、
上記充電池の正面側の熱拡散シートと背面側の熱拡散シートとが熱伝導部材で連結されている
ことを特徴とする携帯端末。
【請求項５】
請求項２から４までのいずれか１つに記載の携帯端末において、
上記熱拡散シートは、蛇腹状又はエンボス加工された部材に貼り付けられている
ことを特徴とする携帯端末。
【発明の詳細な説明】
【技術分野】
【０００１】
本発明は、充電池を有する携帯電話機などの携帯端末に関し、特に充電池周辺の放熱に関する。
【背景技術】
【０００２】
筐体の内部に充電池とメイン基板とを備えた携帯端末が知られている。例えば、特許文献１では、液晶ディスプレイ、メイン基板、充電池及び電池蓋の順に収容されている。
【先行技術文献】
【特許文献】
【０００３】
【特許文献１】特開２０１２−１０００３３号公報
【発明の概要】
【発明が解決しようとする課題】
【０００４】
しかしながら、従来の携帯端末では、充電池がメイン基板の背面側に配置されているので、電池蓋の周縁が丸みを帯びた湾曲した形状であると、充電池の幅を大きくとることができなかった。
【０００５】
そこで、近年、液晶ディスプレイを収容するキャビネットの金属フレームの背面側に充電池を貼り付けて充電池を厚さ方向中央に配置してできるだけ、その幅を大きくしたいというニーズがある。
【０００６】
この場合、充電池の背面側に熱の発生源を持つメイン基板が配置されるので、充電池やメイン基板の熱が放熱しにくいという問題があった。また、充電池が膨らんだときに精密部品を有するメイン基板を押さえ付けるおそれがある。
【０００７】
本発明は、かかる点に鑑みてなされたものであり、その目的とするところは、金属フレームの背面側に配置した充電池を放熱すると共に、充電池の多少の膨らみを許容できるようにすることにある。
【課題を解決するための手段】
【０００８】
上記の目的を達成するために、この発明では、両面テープで空間を確保するようにした。
【０００９】
具体的には、第１の発明では、
金属フレームを有する正面側キャビネットと、
上記正面側キャビネットの背面側に配置されるメイン基板と、
上記金属フレームと上記メイン基板との間に配置される矩形板状の充電池と、
上記充電池正面の幅方向両側に間隔を空けて貼り付けられると共に、上記金属フレーム背面に貼り付けられ、該充電池の正面と該金属フレーム背面との間に空間を確保する両面テープとを備えている。
【００１０】
上記の構成によると、金属フレームの背面と充電池の正面との間を充電池の幅方向両側に間隔を空けて貼り付けた両面テープにより、充電池で発生した熱を放熱するための空間が設けられるので、熱がこもりにくい。また、充電池と金属フレームとの間に隙間ができ、充電池が膨らんでメイン基板が押圧されるのを防止できる。
【００１１】
第２の発明では、第１の発明において、
上記放熱空間に熱を拡散するための熱拡散シートが配置されている。
【００１２】
上記の構成によると、充電池の熱が熱拡散シートで熱が拡散されて効率よく金属フレームに伝えられる。
【００１３】
第３の発明では、第２の発明において、
上記充電池背面と上記メイン基板との間にも熱拡散シートが配置されている。
【００１４】
上記の構成によると、充電池と熱の発生源を有するメイン基板との間でも熱の拡散が行われるので、携帯端末内部で熱を拡散させて熱が一部に溜まらない。
【００１５】
第４の発明では、第３の発明において、
上記充電池の正面側の熱拡散シートと背面側の熱拡散シートとが熱伝導部材で連結されている。
【００１６】
上記の構成によると、メイン基板周辺で発生した熱も熱伝導部材を介して充電池の正面側に伝えられ、携帯端末の一部に熱がこもりにくくなる。
【００１７】
第５の発明では、第２から第４までのいずれか１つの発明において、
上記熱拡散シートは、蛇腹状又はエンボス加工された部材に貼り付けられている。
【００１８】
上記の構成によると、蛇腹構造又はエンボス加工により、表面積が拡大して熱伝導及び熱対流が向上する。
【発明の効果】
【００１９】
以上説明したように、本発明によれば、充電池正面と金属フレーム背面とを両面テープで接着して空間を確保したことにより、充電池で発生する熱を放熱することができると共に、充電池の多少の膨らみを許容できる。
【図面の簡単な説明】
【００２０】
【図１】図２のＩ−Ｉ線拡大断面図である。
【図２】携帯電話機を正面側から見た斜視図である。
【図３】携帯電話機を正面側から見た分解斜視図である。
【図４】携帯電話機を背面側から見た分解斜視図である。
【図５】図２のＶ−Ｖ線拡大断面である。
【発明を実施するための形態】
【００２１】
以下、本発明の実施形態を図面に基づいて説明する。
【００２２】
図１〜図４は本発明の実施形態の携帯端末としての携帯電話機１を示し、この携帯電話機１は、正面側に表示部２が嵌め込まれる正面側キャビネット３を備えている。この正面側キャビネット３の背面側が背面側キャビネット４で覆われ、さらにその背面がリアカバー５で覆われている。
【００２３】
図１にも示すように、正面側キャビネット３は、中央に矩形皿状の金属フレーム６がインサート成形されている。金属フレーム６は、ステンレス鋼板、アルミニウム合金、マグネシウム合金等の板金又は成型品からなる。表示部２は、この金属フレーム６の正面側に収容されている。そして、この金属フレーム６の背面側に上下方向に長い矩形板状の充電池７が貼り付けられている。充電池７の背面側には、メイン基板８が収容されている。
【００２４】
そして、本発明の特徴として、充電池７の左右端部に一対の両面テープ９が貼り付けられている。図示しないが、この両面テープ９は、発泡層などの厚みのある層を有し、その厚さは例えば０．２ｍｍである。このため、充電池７の正面と金属フレーム６の背面との間に放熱空間１０が形成されている。この放熱空間１０には、第１熱拡散シート１１が配置されている。この第１熱拡散シート１１は、例えばグラファイトシートよりなる。このグラファイトシートは、蛇腹状に折り曲げた部材に貼り付けられているので、表面積が増加している。なお、第１熱拡散シート１１をエンボス加工した部材に貼り付けてもよい。
【００２５】
そして、充電池７とメイン基板８との間にも、第１熱拡散シート１１と同様の材料からなる第２熱拡散シート１２が配置されている。例えば、この第２熱拡散シート１２は、ＣＰＵなどの熱発生源が多いメイン基板８の正面に配置しているので、第１熱拡散シート１１よりも幅を大きくするとよい。図５に示すように、この第２熱拡散シート１２と第１熱拡散シート１１とが、例えば、互いの下端部においてグラファイトシートなどの熱伝導部材よりなる連結部材１３で連結されている。
【００２６】
このように、金属フレーム６背面に充電池７正面を両面テープ９で貼り付けて生じた放熱空間１０に蛇腹構造により表面積を増大させた第１熱拡散シート１１を設けたので、熱伝導及び熱対流が向上して充電池７の熱を効率よく放熱できると共に、大きな表面積を持つ金属フレーム６に伝えて外部へ放熱しやすくなる。また、充電池７の背面側にも第２熱拡散シート１２を設けたので、ＣＰＵなどの大きな熱の発生源を持つメイン基板８側にも熱がこもらない。しかも、第１熱拡散シート１１と第２熱拡散シート１２とが下端部で連結部材１３で連結されているので、メイン基板８で発生した熱を金属フレーム６側へ伝えることができる。これにより、メイン基板８で発生した熱を携帯電話機１全体に拡散させるので、熱が溜まってユーザに不快感を与えることはない。
【００２７】
また、放熱空間１０を確保しているので、充電池７を直接金属フレーム６に接着する場合に比べ、充電池７が多少膨らんでも、精密部品が密集するメイン基板８を傷めることはない。
【００２８】
したがって、本実施形態にかかる携帯端末によると、充電池７で発生した熱を放熱すると共に、充電池７の多少の膨らみを許容できる。
【００２９】
（その他の実施形態）
本発明は、上記実施形態について、以下のような構成としてもよい。
【００３０】
すなわち、上記実施形態では、連結部材１３は、下端に設けたが、これに限定されず、上端などの空いたスペースを利用すればよい。
【００３１】
上記実施形態では、金属フレーム６を樹脂製の正面側キャビネット３にインサート成形したが、別体の金属フレーム６を樹脂製の枠に組み付けてもよく、正面側キャビネット３全体を金属成型品で構成してもよい。
【００３２】
上記実施形態では、両面テープ９を充電池７の左右両側に貼り付けたが上下両側にも貼り付けてもよい。
【００３３】
また、上記実施形態では、携帯端末は、携帯電話機としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００３４】
なお、以上の実施形態は、本質的に好ましい例示であって、本発明、その適用物や用途の範囲を制限することを意図するものではない。
【産業上の利用可能性】
【００３５】
以上説明したように、本発明は、充電池を有する携帯電話機などの携帯端末について有用である。
【符号の説明】
【００３６】
１      携帯電話機（携帯端末）
２      表示部
３      正面側キャビネット
４      背面側キャビネット
５      リアカバー
６      金属フレーム
７      充電池
８      メイン基板
９      両面テープ
１０      放熱空間
１１      第１熱拡散シート
１２      第２熱拡散シート
１３      連結部材（熱伝導部材）
【図１】
2014036328.tif 000003
【図２】
2014036328.tif 000004
【図３】
2014036328.tif 000005
【図４】
2014036328.tif 000006
【図５】
2014036328.tif 000007